(57)【要約】      （修正有）【課題】折れ戸などの折畳み式扉が伸長して間口を閉じた場合、火災が発生して戸先框が加熱されても撓み変形して突合せ面に隙間が生じることのない折畳み式扉の突合せ構造を提供する。【解決手段】戸先框の突き合せ板に上下方向に沿って延びる突き合わせ部材をネジ止め等で固定して、突き合わせ板の剛性を高めことによって、戸先框の撓み変形を抑制し、突合せ面に隙間が発生することを防止する。【選択図】図１
2018184785.tif 000002
【特許請求の範囲】
【請求項１】
折れ戸などの折畳み式扉が伸長して間口を閉じた場合、火災が発生した際の加熱で戸先框が変形して生じる隙間の発生を抑制した突き合わせ構造において、戸先框の突き合せ板に上下方向に沿って延びる突き合わせ部材を固定したことを特徴とする折畳み式扉の突き合せ構造。
【請求項２】
上記突き合せ部材に代わって、突き合わせ板の中央部に凸片を設けた請求項１記載の折畳み式扉の突き合わせ構造。
【請求項３】
上記突き合わせ板の中央部の厚みを大きくすると共に、その両側に凸片を形成した請求項２記載の折畳み式扉の突き合わせ構造。
【請求項４】
互いに突き合わされる他方の折畳み式扉の戸先框の突き合わせ板には緩衝材を設けた基板を取着した請求項１、請求項２、請求項３記載の折畳み式扉の突き合わせ構造。
【発明の詳細な説明】
【技術分野】
【０００１】
本発明は折畳み式扉が伸長して間口を閉じた場合、火災が発生した際の加熱によって戸先框が変形して間に隙間が発生しないようにした突合せ構造に関するものである。
【背景技術】
【０００２】
折畳み式扉は複数枚のパネルが継手を介して連結した構造で、該継手を介して各パネルは屈曲して折畳むことが出来るように構成している。
図６は従来の一般的な折畳み式扉（折れ戸）を示していて、（ａ）は折畳まれた状態、（ｂ）は伸長している状態を表している。２枚のパネル（イ）、（イ）は継手（ロ）を介して連結され、その為に両パネル（イ）、（イ）は継手（ロ）を介して折畳むことが出来、また折畳まれたパネル（イ）、（イ）は継手（ロ）介して伸長することが出来る。
【０００３】
同図に示す折畳み式扉は、２枚１組で構成している折れ戸（ハ）が間口に２組装着されている。そこで、２組の折れ戸（ハ）、（ハ）が折畳まれるならば、同図（ａ）に示すように、折れ戸（ハ）、（ハ）は間口の両側によって折畳まれて中央部に開口（ニ）が形成され、逆に折畳まれた折れ戸（ハ）、（ハ）が伸長すれば、先端が中央側へ移動して両折れ戸（ハ）、（ハ）の先端が互いに突き合わされる。すなわち、同図の（ｂ）に示すようになって間口は閉じられる。
【０００４】
ところで、同図の（ｂ）のように折れ戸（ハ）、（ハ）が伸長して間口が閉じられた場合、該折れ戸（ハ）、（ハ）はロックされる。一般には継手（ロ）に備えているハンドル（ホ）を操作してロック部材を上方及び下方に突出することで、これら各ロック部材は上枠及び下枠に係合することが出来るように構成されている。したがって、パネル（イ）、（イ）を連結している継手（ロ）が上枠と下枠に固定されることで、該折れ戸（ハ）、（ハ）の先端突合せ面に隙間が生じることはない。
【０００５】
図７は折れ戸（ハ）の継手（ロ）を表しているが、該折れ戸（ハ）が伸長して継手（ロ）は上枠（ヘ）及び下枠（ト）と同一面に位置している場合である。同図の（ａ）はロックされていないが、ハンドル（ホ）を回転すると、継手（ロ）に取付けた上ロック部材（チ）は上方へ突出して上枠（ヘ）に係合することが出来る。そして、下ロック部材（リ）は下方へ突出して下枠（ト）に係合する。
【０００６】
したがって、上ロック部材（チ）が上枠に、下ロック部材（リ）が下枠（ト）に係合することで継手（ロ）は固定され、該折れ戸（ハ）がガタ付くことはなく、両折れ戸（ハ）、（ハ）の突合せ面は互いに当接している。
しかし、一旦火災が発生するならば折れ戸（ハ）は加熱されて、互いに当接している戸先框（ヌ）、（ヌ）は撓み変形して間に隙間が発生する。そして、該隙間から熱風が流れて延焼を助長する虞がある。
【０００７】
図８は２枚１組の折れ戸（ハ）、（ハ）が対を成して枠体に装着されている場合を示した概略図である。同図の（ａ）に示すように両折れ戸（ハ）、（ハ）が伸長して閉じた場合、戸先側パネルの戸先框が互いに当接しているが、火災が発生して該折れ戸（ハ）、（ハ）が加熱されるならば、変形して互いに突き合わされている両戸先框の間には同図（ｂ）に示すような隙間（ル）が発生する。そして、この隙間（ル）から熱い熱風が流れて延焼を助長する虞がある。
【０００８】
特開２００２−２４２５４７号に係る「折れ戸の折れ構造」は、簡単な構造および施工で、折れ戸閉時における折れ戸本体の木口間に隙間が発生するのを確実に防ぐことのできる、折れ戸の折れ構造である。
隣り合う折れ戸本体それぞれの木口部に断面略半円形状のカバー体が互いの略半円面部が対向するように取り付けられており、各カバー体はその略半円面部において中心線Ａを境にして片側に偏位した凹溝部及びもう片側に偏位した凸条部を有しており、対向する一方のカバー体の凹溝部及び凸条部と他方のカバー体の凸条部及び凹溝部とが折れ戸閉時に互いに係り合うようになっている。
【０００９】
実用新案登録第３２０００３８号に係る「折れ戸」は、パネル同士の隙間を塞ぐことが出来る。そこで、折れ戸は、第１パネルと第２パネルとを備えた両方の扉は折れ曲がるようにして開き、閉じると直線状に並ぶ。扉が閉じたときに、第１パネルと第２パネルとの対向する端面には、隙間Ｓ１の中心位置Ｐ１を超えるように突出した軟質部材による凸部が、それぞれ設けられている。
【００１０】
ただし、これら上記折れ戸には火災時の加熱による戸先框が変形して生じる隙間を塞ぐ機能は存在しない。
【特許文献１】特開２００２−２４２５４７号に係る「折れ戸の折れ構造」
【特許文献２】実用新案登録第３２０００３８号に係る「折れ戸」
【発明の開示】
【発明が解決しようとする課題】
【００１１】
このように、従来の折畳み式扉（折れ戸）には上記のごとき問題がある。本発明が解決しようとする課題はこの問題点であり、火災が発生して戸先框が加熱されても撓み変形して突合せ面に隙間が生じることのない折畳み式扉の突合せ構造を提供する。
【課題を解決するための手段】
【００１２】
本発明の折畳み式扉は複数枚のパネルを継手を介して連結した構造であり、主として２枚のパネルを１組として構成している折れ戸を対象として用いられる。したがって、折畳み式扉の基本的な構成は従来のものと同じであるが、戸先框の突合せ構造が従来のものと違い特徴がある。
該突合せ面を有す戸先框の具体的な形状に関しては限定しないが、突合せ面には突合せ部材をネジ止めなどで固定している。
【００１３】
また、突合せ面には軟質樹脂製の緩衝材を取付け、折畳み式扉を閉じた際には該緩衝材の先端は対を成す他方の折畳み式扉の突合せ面に当接することが出来る。一方、別部材としての突合せ部材を固定することなく、該突合せ部材に相当する凸片を突合せ面に一体的に成形することも可能である。
【発明の効果】
【００１４】
本発明の折畳み式扉はその戸先框の突合せ面には突合せ部材が取着され、その為に火災が発生して折畳み式扉（折れ戸）が加熱されても戸先框の撓み変形を抑制し、突合せ面に隙間が発生することを防止することが出来る。また、撓み変形しても突合せ部材が取着されていることで、突合せ面に直接的な隙間を防止することができる。
同じく、突合せ部材を取付ける代わりに突合せ面に凸片を形成する場合も同じである。特に、突合せ部材を熱変形し難い材質とすることで、加熱による戸先框の撓み変形を極力抑えることが出来る。  このように、折畳み式扉の突合せ面に隙間が生じないことで、火災時の延焼を防止する効果がある。
【図面の簡単な説明】
【００１５】
【図１】本発明の突合せ構造を有して互いに突き合わされている折畳み式扉の先端部。
【図２】戸先框の断面を示す実施例。
【図３】本発明の突合せ構造を有して互いに突き合わされている折畳み式扉の先端部。
【図４】戸先框の断面を示す他の実施例。
【図５】防火性試験装置の概要を示す断面図。
【図６】折畳み式扉である折の戸の横断面図で、（ａ）は折れ戸が折畳まれた場合、（ａ）は折れ戸が伸長している場合。
【図７】ロック機能を備えた従来折れ戸のロック装置。
【図８】火災時の加熱にて互いに突き合わされた戸先框の変形で生じる隙間。
【発明を実施するための形態】
【００１６】
図１は本発明に係る折畳み式扉（折れ戸）の先端部断面を示す実施例である。同図の１ａ，１ｂは戸先框を、２ａ，２ｂは戸先側パネルの先端部を示し、両折畳み式扉が伸長して先端に取付けた戸先框１ａ，１ｂが互いに当接している状態である。該戸先框１ａ，１ｂは折畳み式扉の戸先側パネル２ａ，２ｂに継手３ａ，３ｂを介して連結しているが、折畳み式扉が折畳まれる場合には上記パネル２ａ，２ｂは継手３ａ，３ｂを中心に旋回して上枠及び下枠から外へ張り出すことが出来る。
【００１７】
上記戸先框１ａ，１ｂは折畳み式扉が折畳まれても、前記図６（ａ）に示しているように上枠及び下枠と同一面に位置して外側へ張り出すことはなく、その向きを変えることもない。すなわち、戸先框１ａ，１ｂは折畳み式扉の伸縮動に伴って上枠及び下枠に沿ってスライドし、両折畳み式扉が伸長したところで、両戸先框１ａ，１ｂの先端（突合せ面）は互いに当接する。
【００１８】
戸先框１ｂにはゴム製又は軟質樹脂から成る緩衝材４，４が取付けられ、折畳み式扉が閉じた際に該緩衝材４，４は突き合う他の戸先框１ａの突合せ面に当接して隙間を無くしている。その為に、該緩衝材４，４は概略Ｕ形断面をして、当接の際に変形し易いように成っている。ここで、緩衝材４，４は基板１３に取付けられ、該基板１３が突合せ面に当接して取着されている。
また、パネル２ａ，２ｂにも概略Ｕ形断面をした緩衝材５ａ，５ｂを取付けていて、上枠及び下枠から張り出していたパネル２ａ，２ｂが旋回して一直線状になることで、戸先框１ａ，１ｂには該緩衝材５ａ，５ｂが当接することになる。
【００１９】
図２は前記図１の戸先框１ａの断面であり、該戸先框１ａは戸先側パネル２ａの先端に軸６を介して連結される。すなわち、該軸６ａはパネル２ａに形成している軸受け７ａに嵌っていることで、折畳まれる際には軸６ａを中心としてパネル２ａは旋回することが出来る。
そして、本発明の戸先框１ａの突合せ面となる突合せ板９ａには突合せ部材８がネジ止めにて固定され、該突合せ部材８は戸先框１ａに沿って上端から下端にかけて延びている。
【００２０】
該突合せ部材８は戸先框１ａの突合せ板９ａにネジ止めされることで、該突合せ板９ａの剛性は向上し、撓み変形し難くなる。
このように、戸先框１ａの突合せ板９ａの剛性が向上することで、火災発生時の加熱にて戸先框１ａの撓み変形が抑制され、延焼を抑制することができる。
【００２１】
図３は本発明の他の実施例であり、前記図１、図２に示す突合せ部材８を固定しておらず、戸先框１ａの断面形状を変えて突合せ板１０ａの剛性を高めている。対向する他の戸先框１ｂの突合せ板１０ｂは突合せ板９ｂと同じであるが、図４に示すごとく突合せ板１０ａはその中央部１１の厚さを大きくし、中央部１１の両側には凸片１２，１２を突出している。したがって、該突合せ板１０ａの剛性は向上し、加熱による撓み変形はし難くなる。
【００２２】
図５は防火性能試験装置の概要を示す断面図であり、試験体として折畳み式扉が装着される。そこで、壁炉の内部を燃焼加熱した場合、外側の非加熱面側に１０秒を超えて継続する火炎の噴出があってはならない。また、非加熱面で１０秒を超えて継続する発炎があってはならない。さらに、火炎が通過する亀裂などの損傷及び隙間の発生があってはなない。
本発明の折畳み式扉の場合、戸先框１ａの突合せ板の剛性を向上することで、上記の条件を満たすことが出来る。
【符号の説明】
【００２３】
１   戸先框
２   パネル
３   継手
４   緩衝材
５   緩衝材
６   軸
７   軸受け
８   突合せ部材
９   突合せ板
10   突合せ板
11   中央部
12   凸片
13   基板
【図１】
2018184785.tif 000003
【図２】
2018184785.tif 000004
【図３】
2018184785.tif 000005
【図４】
2018184785.tif 000006
【図５】
2018184785.tif 000007
【図６】
2018184785.tif 000008
【図７】
2018184785.tif 000009
【図８】
2018184785.tif 000010